(57)【要約】【課題】プラスチック材料製のキュベットが一体に組み立てられ、配列内のすべてのキュベットが同一の形状及び寸法を有し、隣接するキュベットが単一の腕で相互に連結している直線キュベット配列、当該直線キュベット配列を含む２次元キュベット配列、及び２つ以上の当該２次元キュベット配列を含むシステムを提供する。【解決手段】直線キュベット配列は、個々の単一の腕（１５、１６）が湾曲した形状を有し、個々のキュベット（１２）と一体構造を形成し、かつ上記キュベット（１２）をキュベットホルダーの開口に正確に位置付ける役目をする手段（１９、２９）及び上記キュベット（１２）を上記キュベットホルダーに取り外し可能なように結合するための手段（２１、２２）を有する。個々のキュベット（１２）は、両チャンバーの中心を通る共通の対称軸（Ｙ−Ｙ）を有する実質的に円筒状の上部チャンバー（１７）及び下部チャンバー（１８）を有する。【選択図】図１
2010261968.tif 000002
【特許請求の範囲】
【請求項１】
一体に組み立てられた、プラスチック材料製の直線キュベット配列で、配列内のすべてのキュベットが同一の形状及び寸法を有し、隣接するキュベットが単一の腕で相互に連結しており、上記キュベット配列が：
（ａ）個々の上記単一の腕が湾曲した形状を有し；
（ｂ）個々のキュベットが、それと一体構造を形成し、かつ、キュベットホルダーの開口に上記キュベットを正確に位置づける役目をする手段、及び、上記キュベットを取り外し可能なように、上記キュベットホルダーに取り付けるための手段を有し；
（ｃ）個々のキュベットが、両チャンバーの中心を通る共通の対称軸（Ｙ−Ｙ）を有する上部チャンバー、及び下部チャンバーを有し、上記上部及び下部チャンバーの各々が、実質上、円筒形を有し、そして上記上部チャンバーの、その中央部での断面が、上記下部チャンバーの断面より大きく；
（ｄ）上記下部チャンバーが、開口した下端を有し；
（ｅ）上記上部チャンバーが、開口した上端及び、上記上部チャンバーを上記下部チャンバーに結合している円形の開口を中央に有する環状の底面壁を有し、上記底面壁の内面は、その断面が上記キュベットの対称軸（Ｙ−Ｙ）に対して約８０度の角度を形成している円錐面の一部であり、この結果、上記上部チャンバーと上記下部チャンバーの間で、断面の急激な変化があり；そして、
（ｆ）上記キュベット配列が、第１の選ばれたプラスチック材料から作られ、この第１の材料は、箔状層の第２の選ばれた材料と組み合わせて使用されるのに、特に適切であり、上記膜は個々のキュベットの少なくとも一方の開口を塞ぐために、上記キュベット配列の個々のキュベットに密接に取り付けられるのに適している；
ことを特徴とする直線キュベット配列。 
【請求項２】
上記キュベット配列を構成しているすべてのキュベットの対称軸（Ｙ−Ｙ）が、上記キュベット配列の対称面である平面（Ａ−Ａ）と実質的に同一の平面内にあり、配列内の中間にある個々のキュベットの上部が、上記中間キュベットの一方の側に隣接するキュベットに、第１の単一の腕によって連結され、上記中間キュベットの反対側にある隣接するキュベットに、第２の単一の腕によって連結され、上記第１及び第２の単一の腕が、上記対称平面（Ａ−Ａ）を介して反対側にある、請求項１記載の直線キュベット配列。
【請求項３】
（ａ）キュベットを受け入れるための開口のマトリックス配列を有するキュベットホルダー；及び、
（ｂ）少なくとも１個の上記キュベット配列の個々のキュベットが、上記キュベットホルダーの上記開口の１個に、ぴったりと収まる形状及び寸法を有する、請求項１記載の少なくとも１つの直線キュベット配列；
を含む２次元キュベット配列。
【請求項４】
少なくとも１個の直線キュベット配列を各々保有する２個以上のキュベットホルダーが、各々のホルダー内で同一の相対的位置を占めるキュベットが、両者の対称軸を一致させて、上下に正確に位置づけされ、上記キュベットの１個が上側キュベットに位置し、他のキュベットが下側キュベットに位置するように、及び、上側キュベットの下部の一部が下側キュベットの上部チャンバー内にあり、かつ、上側キュベットの下端が、下側キュベットの上部チャンバーの底面壁からの予め決められた距離にあるように、積み重ねられることができるような形状及び寸法を、上記キュベットホルダー、及び、少なくとも１つの上記直線キュベット配列のキュベットが有する、請求項３記載の２次元キュベット配列。
【請求項５】
上記キュベットの、その下端にある開口を塞ぐために、個々のキュベットの下端に取り付けられた箔を更に含む、請求項３又は４記載の２次元キュベット配列。
【請求項６】
上記箔がフィルターである、請求項５記載の２次元キュベット配列。
【請求項７】
上記箔が透明である、請求項５記載の２次元キュベット配列。
【請求項８】
上記箔が、マイクロスポッティング（ｍｉｃｒｏｓｐｏｔｔｉｎｇ）により、上記箔上に沈積した遺伝子又は遺伝子フラグメントを保有する、請求項５記載の２次元キュベット配列。
【請求項９】
上記キュベットホルダーが、実質的に長方形の形状であり、かつ、上記キュベットホルダーの隅の１つの外面上に各々が位置する、４本の心出しリブを有する、請求項３又は４記載の２次元キュベット配列。
【請求項１０】
上記キュベットホルダーが、上記２次元キュベット配列が遠心分離機内で使用されるのに適するような形状及び寸法を有する、請求項３又は４記載の２次元キュベット配列。
【請求項１１】
多数の液体試料に対して、拡散又は濾過プロセスを同時に行うためのシステムであって、上記システムが、請求項３から１０のいずれかに記載の１つ以上の２次元キュベット配列を含むシステム。
【請求項１２】
請求項３記載の第１の２次元キュベット配列及び請求項３記載の第２の２次元キュベット配列を含む、請求項１１記載のシステムであって、上記キュベット配列は相互に積み重ねられており、そして、キュベットホルダー及び上記２次元キュベット配列のキュベットは、各々のホルダー内で同一の相対的位置を占めるキュベットが、両者の対称軸を一致させて、上下に正確に位置づけされ、上記キュベットの１個が上側キュベットに位置し、他のキュベットが下側キュベットに位置するように、及び、上側キュベットの下部の一部が下側キュベットの上部チャンバー内にあり、かつ、上側キュベットの下端が、下側キュベットの上部チャンバーの底面壁からの予め決められた距離にあるように、上記２次元キュベット配列が積み重ねられることができるような形状及び寸法を有するシステム。
【発明の詳細な説明】
【技術分野】
【０００１】
本発明は、プラスチック材料製のキュベットが一体に組み立てられ、配列内のすべてのキュベットが同一の形状及び寸法を有し、隣接するキュベットが単一の腕で、相互に連結している直線キュベット配列に関する。
【０００２】
本発明は、又、２次元キュベット配列に関する。
【０００３】
本発明は、又、２つ以上の２次元キュベット配列を含むシステムに関する。
【背景技術】
【０００４】
試料の化学分析、遺伝子及び遺伝子フラグメントの示差表示分析（ｄｉｆｆｅｒｅｎｔｉａｌ  ｅｘｐｒｅｓｓｉｏｎ  ａｎａｌｙｓｉｓ，プロファイリング）の分野、特に、医薬品のスクリーニングの分野、及び、このような薬品及び試料の生物学的診断学においては、多数のこのような化合物をできるだけ迅速に分析しなければならない。従って、これらの試料の高処理量スクリーニングを達成するためには、多数の液体試料に対し、分析測定だけでなく、拡散又は濾過工程をも同時に又は連続的に行うことを可能にするキュベット配列のシステムが必要である。
【発明の概要】
【発明が解決しようとする課題】
【０００５】
従って、本発明の第１の目的は、このようなシステムの基本要素として使用するのに適切な、直線キュベット配列を提供することである。
【０００６】
本発明の第２の目的は、このようなシステムの要素として使用するのに適切な、２次元キュベット配列を提供することである。
【０００７】
本発明の第３の目的は、多数の試料に対して、分析測定だけでなく拡散又は濾過工程をも同時に又は連続的に行うこと、及び、これらの試料を最適の方法で、所望の高処理量スクリーニングを達成するために、最適の方法で行うことを可能にするキュベット配列のシステムを提供することである。
【課題を解決するための手段】
【０００８】
本発明によれば、上記の第１の目的は、以下に記載の直線キュベット配列で達成される。すなわち、一体に組み立てられた、プラスチック材料製の直線キュベット配列で、配列内のすべてのキュベットが同一の形状及び寸法を有し、隣接するキュベットが単一の腕で相互に連結しており、上記キュベット配列が：
（ａ）個々の上記単一の腕が湾曲した形状を有し；
（ｂ）個々のキュベットが、それと一体構造を形成し、かつ、キュベットホルダーの開口に上記キュベットを正確に位置づける役目をする手段、及び、上記キュベットを取り外し可能なように、上記キュベットホルダーに取り付けるための手段を有し；
（ｃ）個々のキュベットが、両チャンバーの中心を通る共通の対称軸（Ｙ−Ｙ）を有する上部チャンバー、及び下部チャンバーを有し、上記上部及び下部チャンバーの各々が、実質上、円筒形を有し、そして上記上部チャンバーの、その中央部での断面が、上記下部チャンバーの断面より大きく；
（ｄ）上記下部チャンバーが、開口した下端を有し；
（ｅ）上記上部チャンバーが、開口した上端及び、上記上部チャンバーを上記下部チャンバーに結合している円形の開口を中央に有する環状の底面壁を有し、上記底面壁の内面は、その断面が上記キュベットの対称軸（Ｙ−Ｙ）に対して約８０度の角度を形成している円錐面の一部であり、この結果、上記上部チャンバーと上記下部チャンバーの間で、断面の急激な変化があり；そして、
（ｆ）上記キュベット配列が、第１の選ばれたプラスチック材料から作られ、この第１の材料は、箔状層の第２の選ばれた材料と組み合わせて使用されるのに、特に適切であり、上記膜は個々のキュベットの少なくとも一方の開口を塞ぐために、上記キュベット配列の個々のキュベットに密接に取り付けられるのに適している；
ことを特徴とする直線キュベット配列である。
【０００９】
本発明によれば、上記の第２の目的は、以下に記載の２次元キュベット配列で達成される。すなわち、（ａ）キュベットを受け入れるための開口のマトリックス配列を有するキュベットホルダー；及び、
（ｂ）少なくとも１個の上記キュベット配列の個々のキュベットが、上記キュベットホルダーの上記開口の１個に、ぴったりと収まる形状及び寸法を有する、前述した第１の目的を達成する直線キュベット配列；を少なくとも１つ含む２次元キュベット配列である。
【００１０】
本発明によれば、上記の第３の目的は、多数の液体試料に対して、分析測定だけでなく拡散又は濾過プロセスをも同時に又は連続的に行うことに関して、前述の第１の目的を達成する直線キュベット配列を含む、前述した第２の目的を達成する２次元キュベット配列を有するシステムで達成される。すなわち、第１及び第２の上記２次元キュベット配列を含む、多数の液体試料に対して、分析測定だけでなく拡散又は濾過プロセスをも同時に又は連続的に行うためのシステムであって、上記キュベット配列は相互に積み重ねられており、そして、キュベットホルダー及び上記２次元キュベット配列のキュベットは、各々のホルダー内で同一の相対的位置を占めるキュベットが、両者の対称軸を一致させて、上下に正確に位置づけされ、上記キュベットの１個が上側キュベットに位置し、他のキュベットが下側キュベットに位置するように、及び、上側キュベットの下部の一部が下側キュベットの上部チャンバー内にあり、かつ、上側キュベットの下端が、下側キュベットの上部チャンバーの底面壁からの予め決められた距離にあるように、上記２次元キュベット配列が積み重ねられることができるような形状及び寸法を有するシステムである。
【発明の効果】
【００１１】
本発明の主な利点は、本発明が所望のプロセスを効率的に、高い柔軟性をもって、比較的低コストで行うことを可能にし、同時に、従来の装置で遭遇した問題を克服することを可能にすることである。
【図面の簡単な説明】
【００１２】
【図１】本発明による直線キュベット配列１１の平面図を示す。
【図２】図１の直線キュベット配列１１の、Ａ−Ａ平面で切り取った断面を示す。
【図３】図１の直線キュベット配列１１のキュベット１２の１個の断面図を示す。
【図４】図１の直線キュベット配列１１のキュベット１２の１個の断面図を示し、このキュベットは、キュベットの下端に取り付けられた箔状層６１を含む。
【図５】本発明による２次元キュベット配列の一部を形成するキュベットホルダー３２の平面図を示す。
【図６】図５のキュベットホルダー３２の、平面Ｂ−Ｂで切り取った断面を示す。
【図７】本発明による２次元キュベット配列３１の平面図を示す。
【図８】図７の２次元キュベット配列３１の、平面Ｃ−Ｃで切り取った断面を示す。
【図９】積み重ねられた２次元キュベット配列３１及び４１の断面図を示す。
【図１０】標準分析用マルチウェルプレート３８の上に積み重ねられた２次元キュベット配列３１の断面図を示す。
【発明を実施するための形態】
【００１３】
本発明の好ましい実施態様は、以下に、添付の図面を参照して説明される。
【００１４】
図１及び２は、プラスチック材料製のキュベット１２、１３、１４等が一体に組み立てられた直線キュベット配列１１を示す。
【００１５】
配列１１のすべてのキュベットは、同一の形状及び寸法を有し、隣接するキュベットは、単一の腕１５、１６によって相互に連結している。これらの単一の腕１５，１６は湾曲した形状を有する。
【００１６】
キュベット配列１１を構成しているすべてのキュベット１２の対称軸Ｙ−Ｙは、キュベット配列１１の対称面である平面Ａ−Ａと実質的に同一の平面内にある。配列１１の中間キュベット１２の上部は、中間キュベット１２の一方の側に隣接するキュベット１３に、第１の単一の腕１５によって連結しており、更に中間キュベット１２の反対側に隣接するキュベット１４に、第２の単一の腕１６によって連結している。第１の単一の腕１５及び第２の単一の腕１６は、上記対称平面Ａ−Ａを介して反対側にある。
【００１７】
腕１５、１６は、柔軟性があり、従ってキュベット配列１１の射出成形による製作に使用される異なった材料の異なった収縮率によって、キュベット配列１１の長さが変化しても、キュベットホルダー、例えば下記のキュベットホルダー３２へのキュベットの挿入を容易にする。
【００１８】
キュベット配列１１のキュベット２及び７（この数字は配列内のキュベットの相対的な位置を示す）の各々は、キュベットを下記のキュベットホルダー３２の開口に、正確に位置づける役目を持つ３本の放射状リブ１９、２９を有する。
【００１９】
キュベット配列１１のキュベット１、３、６、８又は１、３〜６、８（この数字は配列内のキュベットの相対的な位置を示す）の各々は、例えばラッチ２１及び２２を有し、これらのラッチはキュベットと一体構造であり、下記のキュベットホルダー３２へのキュベットの取り外し可能な取り付けに役立つ。
【００２０】
図２は、キュベット配列１１のキュベットの１個、例えばキュベット１２の断面を示す。図２に示されるように、キュベットは上部チャンバー１７及び下部チャンバー１８を有し、これらは、両チャンバーの中心を通る共通の対称軸Ｙ−Ｙを有する。上部チャンバー１７及び下部チャンバー１８は、各々実質的に円筒状の形状を有する。上部チャンバー１７の、その中央部における断面は、下部チャンバー１８の断面より大きい。
【００２１】
下部チャンバー１８は、開口した下端２３を有する。上部チャンバー１７は、開口した上端２４及び環状の底面壁２５を有する。この底面壁は、上記上部チャンバー１７を下部チャンバー１８に結合している円形の開口２６を中央に有する。
【００２２】
底面壁２５の内面２７は、その断面がキュベットの対称軸Ｙ−Ｙに対して、約８０度の角度を形成している円錐面の一部であり、この結果、上記上部チャンバー１７と上記下部チャンバー１８の間で、断面の急激な変化がある。
【００２３】
キュベット配列１１は、第１の選ばれたプラスチック材料から射出成形により作られ、この第１の材料は、箔状層を作る第２の選ばれた材料と組み合わせて使用されるのに特に適切である。この層は、個々のキュベットの少なくとも一方の開口を塞ぐために、キュベット配列の個々のキュベットに密接に取り付けられるのに適している。
【００２４】
箔状層の個々のキュベットへの取り付けは、層とキュベットを例えば糊付けするか、又は溶接によるのが効果的である。個々のキュベットに取り付けられた箔は、該当する個々のキュベットにのみ取り付けられており、他のいずれのキュベット又は異なったキュベットに取り付けられた箔と連結していない。
【００２５】
層のキュベットへの取り付けは、両部品の間で中位の密封性を有する接合（液密及び／又は気密接合）を確保する必要がある。
【００２６】
このような箔状層の可能な用途は、例えばフィルターとしての用途及び／又は必ずしもフィルターの機能を有する必要がない透明な覆い（例えば、紫外線放射に対して透明である）としての用途を含む。
【００２７】
箔状層が、フィルターとして使用される時は、濾過プロセスで、キュベット配列の個々のキュベットに入っている媒体に対して、真空又は圧力を適用することが効果的であり得る。
【００２８】
フィルターとして使用でき、かつ、１０から２００ミクロンの範囲の厚さを有する箔状層の適切な材料は、例えばポリフッ化ビニリデン（ＰＶＤＦ）、ポリカーボネート（ＰＣ）、ポリスルホン（ＰＳＵ）、再生セルロース、ポリテトラフルオロエチレン（ＰＴＦＥ）、ＰＥＴ及び濾紙である。
【００２９】
図４に示すように、このような箔状層は、キュベットの下端に密接に取り付けるのに適している。図４は、キュベット１２及び、その下端２３にこのキュベットの開口を塞ぐために、キュベット１２に密接に取り付けられている箔状層６１を示す。
【００３０】
キュベット配列を製作する射出成形装置は、異なった収縮率を有する異なった材料の射出成形が、全く同一の装置で行うことができるような形状及び寸法であることが好ましい。
【００３１】
キュベット配列１１及び上記の箔状層により形成されるアッセンブリーの高い安定性を確保するために、この層の材料は、層の物性がキュベットの材料と共に使用されるのに適するように選ばれる。
【００３２】
他方では、キュベット配列及び箔状層の材料は、それらが特別に相性が良く、このことによりキュベット配列及び箔状層のアッセンブリーを使って行われる特定のプロセスの最適化を可能にするように選ばれる。このようなプロセスは、例えば濾過、拡散、濃度決定、「マイクロスポッティング（ｍｉｃｒｏｓｐｏｔｔｉｎｇ）」である。
【００３３】
例えば、親水性の材料で作られたキュベット、例えば酢酸セルロースから作られたキュベットは、限外濾過を最適な方法で行うための、限外濾過膜との適切な組み合わせとなる。人工膜を使っての拡散プロセスは、類似した疎水性を有するキュベット材料と溶融によって適切に結合する疎水性の濾過膜を使って、好ましくは行われる。濾過プロセスでは、キュベット及びそれに取り付けられる濾過膜が、親水性又は親油性を有することが必要であり、これらの部品の材料は濾過される物質の性質に応じて選択される。
【００３４】
遺伝子又は遺伝子フラグメントに関連するプロセスでは、キュベット配列１１のキュベットの下端に取り付けられた箔の上に、マイクロスポッティングによりこれらを沈積させる。
【００３５】
次の材料は、キュベット配列１１の製作に使用することができる材料の例である：酢酸アセテート、ポリカーボネート、ポリフッ化ビニリデン（ＰＶＤＦ）、ポリスルホン、ポリスチレン、ポリプロピレン（ＰＰ）。類似した収縮率（射出成形に関連して）及び溶融特性を有する材料も、キュベット配列１１の製作に使用してよい。
【００３６】
図５は、多数の上記キュベット配列１１を保持して、２次元キュベット配列３１を形成するのに使用することができるキュベットホルダー３２の平面図を示す。図６は、図５のキュベットホルダー３２の、平面Ｂ−Ｂで切り取った断面を示す。
【００３７】
好ましい実施態様では、キュベットホルダー３２は、実質的に長方形の形状であり、キュベットホルダー３２の隅の一つの外面上に各々が位置する、４本の心出しリブ（７１、７２、７３、７４）を有する。
【００３８】
図７は、本発明による２次元キュベット配列３１の平面図を示す。図８は、図７の２次元キュベット配列３１の、平面Ｃ−Ｃで切り取った断面を示す。
【００３９】
図７及び８から理解できるように、本発明による２次元キュベット配列３１は、上記の特徴を有する少なくとも１つの直線キュベット配列１１のキュベット１２を受け入れるための、開口３４のマトリックス配列３３を有するキュベットホルダー３２を含む。キュベット配列１１の個々のキュベット１２は、キュベットホルダー３２の開口３４の１個にぴったりと収まる形状及び寸法を有する。
【００４０】
キュベットホルダー３２は、２次元配列３１が遠心分離機内で使用されるのに適合するような形状及び寸法を有する。図８に示すように、キュベットホルダー３２は遠心分離機のホルダープレート３９にぴったりと収まる。
【００４１】
図９に示すように、図７及び８に関連して、各々が上記の構造を有する２個以上の２次元キュベット配列、例えば配列３１及び４１並びに各々のキュベットホルダー３２及び４２は相互に積み重ねられ、３次元キュベット配列を形成することができる。キュベットホルダー４２は、ホルダープレート４３の上に置かれる。本発明によれば、このような配列の部品は、各々のホルダー内で同一の相対的位置を占めるキュベットが、両者の対称軸を一致させて、上下に正確に位置づけされ、上記キュベットの１個が上側キュベット５１に位置し、他のキュベットが下側キュベット５２に位置するような形状及び寸法を有する。好ましい実施態様では、個々の上側キュベット５１の下部の一部は、対応する下側キュベット５２の上部チャンバー内にあり、かつ、上側キュベット５１の下端が、下側キュベット５２の上部チャンバーの底面壁から予め決められた距離にある。
【００４２】
図９には、以下に説明する、キュベット内で適用できる容量が、対応する陰の部分によって示されている。
【００４３】
すなわち、下側キュベット中の試料に適用できる容量６２、対応する下側キュベットの上部の中にある、上側キュベットの下部の一部によって置換されている容量６３、上側キュベットの上部中でオーバーフローしている液体に適用できる容量６４、及び下側キュベットの上部中の過剰な液体に適用できる容量６５である。
【００４４】
図１０に示すように、図７及び８に関連して、上記の構造を有する２次元キュベット配列３１は、標準マルチウェルプレートのための標準ホルダープレート３８の上にも積み重ねることができる。
【００４５】
本発明によれば、上記構造を有するキュベットの１つ以上の２次元配列３１、４１等を含むシステムは、多数の液体試料に対して、拡散、濾過又は検出プロセスの工程を同時に行うのに使用される。ここでの上記試料は、例えば、遺伝子、遺伝子フラグメント、医薬品又は医薬の前駆体である。
【００４６】
好ましい実施態様では、このようなシステムは、第１の２次元キュベット配列３１及び第２の２次元キュベット配列４１を含み、上記キュベット配列３１、４１は相互に積み重ねられ、キュベットホルダー３２、４２及び上記２次元キュベット配列３１、４１のキュベット１２は、各々のホルダー内で同一の相対的位置を占めるキュベットが、両者の対称軸を一致させて、上下に正確に位置づけされ、キュベットの１個が上側キュベット５１に位置し、他のキュベットが下側キュベット５２に位置するような形状及び寸法を有する。好ましい実施態様では、上側キュベット５１の下部の一部は、下側キュベット５２の上部チャンバー内にあり、かつ、上側キュベット５１の下端が、下側キュベット５２の上部チャンバーの底面壁からの予め決められた距離にある。この配置では、上側キュベット５１の下部内に入っている液体と下側キュベット５２の上部チャンバー内に入っている液体の間には、毛管現象が生じる隙間はない。
【００４７】
本発明の変更した及び代替の態様は、前述の説明を考慮すれば、当業者には明白であると思われる。従って、この説明は単に例示と解釈されるべきであり、本発明を実施する上での、最良の方式を当業者に教示するという目的のためである。本発明の精神から逸脱しない範囲で、説明された装置及びシステムの詳細を変更してもよく、付属の特許請求の範囲内にあるすべての変更を独占的に使用することは、留保される。
【符号の説明】
【００４８】
参照付番表
１１  直線キュベット配列
１２  キュベット
１３  キュベット
１４  キュベット
１５  腕
１６  腕
１７  上部チャンバー
１８  下部チャンバー
１９  リブ
２１  ラッチ
２２  ラッチ
２３  開口した下端
２４  開口した上端
２５  底面壁
２６  開口
２７  底面壁２５の内面
２８
２９  リブ
３１  ２次元キュベット配列
３２  キュベットホルダー
３３  開口のマトリックス配列
３４  開口（キュベット受け入れのための）
３５
３６
３７
３８  標準マルチウェルプレートのための標準ホルダープレート
３９  遠心分離機のホルダープレート
４１  ２次元キュベット配列
４２  キュベットホルダー
４３  ホルダープレート
５１  上側キュベット
５２  下側キュベット
６１  箔状層
６２  試料に適用できる容量
６３  置換されている容量
６４  オーバーフローしている液体に適用できる容量
６５  過剰な液体に適用できる容量
７１  心出しリブ
７２  心出しリブ
７３  心出しリブ
７４  心出しリブ
７５  変遷部
７６  変遷部
【図１】
2010261968.tif 000003
【図２】
2010261968.tif 000004
【図３】
2010261968.tif 000005
【図４】
2010261968.tif 000006
【図５】
2010261968.tif 000007
【図６】
2010261968.tif 000008
【図７】
2010261968.tif 000009
【図８】
2010261968.tif 000010
【図９】
2010261968.tif 000011
【図１０】
2010261968.tif 000012
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
一体に組み立てられた、プラスチック材料製の直線キュベット配列（１１）であって、該キュベット配列（１１）のすべてのキュベットが同一の形状及び寸法を有し、隣接するキュベットが単一の腕で相互に連結している、直線キュベット配列（１１）において、
（ａ）該キュベット配列（１１）の該キュベットのそれぞれが対称軸（Ｙ−Ｙ）を有し、該キュベットの該対称軸（Ｙ−Ｙ）のすべてが、該キュベット配列（１１）の長さ方向に延びる該キュベット配列の対称平面（Ａ−Ａ）に位置し、
（ｂ）個々の該単一の腕（１５、１６）が湾曲した形状を有し、
（ｃ）該キュベット配列の一の端部にある第１のキュベット（１３）と該キュベット配列の反対側の端部にある第２のキュベット（１４）との間に中間キュベット（１２）を有し、
（ｄ）各中間キュベット（１２）の上部は、該中間キュベット（１２）の一方の側に隣接するキュベット（１３）に、第１の単一の腕（１５）によって連結し、該中間キュベット（１２）の反対側に隣接するキュベット（１４）に、第２の単一の腕（１６）によって連結しており、
（ｅ）該キュベット配列（１１）は、８個のキュベットを有し、該キュベット配列（１１）の何れかの端部から数えて４番目又は５番目のキュベットは、該対称平面（Ａ−Ａ）に対して同じ側に該第１の単一の腕（１５）と該第２の単一の腕（１６）を有し、他の総ての該中間キュベット（１２）は、前記第１及び第２の単一の腕（１５、１６）を、前記対称面（Ａ−Ａ）を挟んで反対側に有する、直線キュベット配列。
【請求項２】
前記キュベット配列が、箔状層を作る第２の選ばれた材料と組み合わせて使用されるのに適する、第１の選ばれたプラスチック材料から作られ、該箔状層が、個々のキュベットの少なくとも一の開口部を塞ぐために、キュベット配列の個々のキュベットに密接に取り付けられるのに適している、請求項１に記載の直線キュベット配列。
【請求項３】
前記キュベット配列の各端部から数えて２番目のキュベットは、前記キュベットをキュベットホルダー（３２）の対応する開口部に正確に位置づけるための手段（１９、２９）を有する、請求項１又は２に記載の直線キュベット配列。
【請求項４】
前記キュベット配列の各端部から数えて２番目のキュベットを除く他の総てのキュベットは、それと一体をなし、前記キュベットホルダー（３２）へ前記キュベットのそれぞれを取り外し可能に取り付けるのに寄与する手段（２１、２２）を有する、請求項１〜３の何れか１項に記載の直線キュベット配列。
【請求項５】
（ａ）各キュベット（１２）は、両チャンバーの中心を通る共通の対称軸Ｙ−Ｙを有する、上部チャンバー（１７）及び下部チャンバー（１８）を有し、
該上部チャンバー及び下部チャンバーは、各々実質的に円筒状の形状を有し、該上部チャンバー（１７）の、その中央部における断面は、該下部チャンバー（１８）の同断面より大きく、
（ｂ）該下部チャンバー（１８）は、開口した下端（２３）を有し、
（ｃ）該上部チャンバー（１７）は、開口した上端（２４）と、該上部チャンバー（１７）を該下部チャンバー（１８）に連結している円形の開口部を中央に有する、環状の底面壁（２５）とを有し、該底面壁（２５）の内面（２７）は、その断面が該キュベット（１２）の対称軸Ｙ−Ｙに対して、８０度の角度を形成している円錐面の一部であり、この結果、該上部チャンバー（１７）と該下部チャンバー（１８）との間で、断面の急激な変化がある、請求項１〜４の何れか１項に記載の直線キュベット配列。
【請求項６】
キュベット（１２）を受け入れるための開口部（３４）のマトリックス配列（３３）を有するキュベットホルダー（３２）を含む２次元キュベット配列において、
請求項１から４の何れか１項に記載の少なくとも１個の直線キュベット配列であって、該キュベット配列の個々のキュベットが、該キュベットホルダー（３２）の該開口部（３４）の１個に、ぴったりと収まる形状及び寸法を有する直線キュベット配列（１１）をさらに含む、２次元キュベット配列。
【請求項７】
前記直線キュベット配列の少なくとも１個が、請求項５に記載の直線キュベット配列である、請求項６に記載の２次元キュベット配列。
【請求項８】
前記少なくとも１個の直線キュベット配列（１１）におけるキュベットホルダー（３２）及び上記キュベット（１２）は、該少なくとも１個の直線キュベット配列（１１）の各々を保持する２個以上のキュベットホルダー（３２）が、各々のホルダー内で同一の相対的位置を占めるキュベットをそれらの対称軸を一致させて上下に正確に位置づけさせ、該キュベットの１個が上側キュベット（５１）に位置し、他のキュベットが下側キュベット（５２）に位置するように、且つ上側キュベット（５１）の下部の一部が下側キュベット（５２）の上部チャンバー内にあり、上側キュベット（５１）の下端が、下側キュベット（５２）の上部チャンバーの底面壁からの予め決められた距離にあるように、積み重ねることができるような形状及び寸法を有する、請求項７に記載の２次元キュベット配列。
【請求項９】
前記キュベットの下端にある該キュベットの開口部を塞ぐために、個々のキュベット（１２）の下端に取り付けられた箔（６１）を更に含む、請求項６から８の何れか１項に記載の２次元キュベット配列。
【請求項１０】
前記箔（６１）がフィルターである、請求項９に記載の２次元キュベット配列。
【請求項１１】
前記箔（６１）が透明である、請求項９に記載の２次元キュベット配列。
【請求項１２】
前記箔（６１）が、マイクロスポッティング（ｍｉｃｒｏｓｐｏｔｔｉｎｇ）により、上記箔上に沈積した遺伝子又は遺伝子フラグメントを保有する、請求項９に記載の２次元キュベット配列。
【請求項１３】
前記キュベットホルダー（３２）が、実質的に長方形の形状であり、且つ前記キュベットホルダーの隅の１つの外面上に各々が位置する、４本の心出しリブ（７１から７４）を有する、請求項７又は８に記載の２次元キュベット配列。
【請求項１４】
前記キュベットホルダー（３２）が、前記２次元キュベット配列（３１）が遠心分離機内で使用されるのに適するような形状及び寸法を有する、請求項８又は９記載の２次元キュベット配列。
【請求項１５】
多数の液体試料に対して、拡散又は濾過プロセスを同時に行うためのシステムであって、請求項５及び請求項８から１４のいずれか１項に記載の１つ以上の２次元キュベット配列を含む、システム。
【請求項１６】
第１の２次元キュベット配列（３１）と第２の２次元キュベット配列（４１）とを含む、請求項１５に記載のシステムであって、
該２次元キュベット配列は相互に積み重ねられており、
前記キュベットホルダー（３２、４２）及び該２次元キュベット配列（３１、４１）のキュベット（１２）は、各々のホルダー内で同一の相対的位置を占めるキュベットが、それらの対称軸を一致させて上下に正確に位置づけされ、該キュベットの１個が上側キュベット（５１）に位置し、他のキュベットが下側キュベット（５２）に位置するように、且つ上側キュベット（５１）の下部の一部が下側キュベット（５２）の上部チャンバー内にあり、上側キュベット（５１）の下端が、下側キュベット（５２）の上部チャンバーの底面壁からの予め決められた距離にあるように、該２次元キュベット配列が積み重ねられるような形状及び寸法を有する、システム。